(57)【要約】【課題】コネクタの収納作業が容易なコネクタカバーを提供する。【解決手段】接続されるべきケーブル２１ｃ、２２ｃの端部にそれぞれ設けられ、結合されたコネクタ２１，２２を覆うカバーであって、コネクタ２１，２２を収納する筒状のカバー本体１１と、カバー本体１１の両端に一体に形成され、ケーブル２１ｃ、２２ｃが配置される、カバー本体１１より小径のケーブルカバー部１２とを備え、カバー本体１１およびケーブルカバー部１２は、ケーブルの長手方向においてヒンジ部１３を介して二つ割りに構成され、二つ割りとなったカバー本体半体１１ｈには、ヒンジ部１３の反対側において係脱可能な係合部１４が設けられている。【選択図】図２
2016110922.tif 000002
【特許請求の範囲】
【請求項１】
接続されるべきケーブルの端部にそれぞれ設けられ、結合されたコネクタを覆うカバーであって、
前記コネクタを収納する筒状のカバー本体と、
このカバー本体の両端に一体に形成され、前記ケーブルが配置される、前記カバー本体より小径のケーブルカバー部とを備え、
前記カバー本体およびケーブルカバー部は、前記ケーブルの長手方向においてヒンジ部を介して二つ割りに構成され、
二つ割りとなったカバー本体半体には、前記ヒンジ部の反対側において係脱可能な係合部が設けられていることを特徴とするコネクタカバー。
【請求項２】
請求項１において、
前記ケーブルの長手方向に関し、前記カバー本体の中央部と前記ケーブルカバー部との間には、それぞれ、カバー本体内周面から周方向に沿って内側に向かって突起する遮水リブが設けられていることを特徴とするコネクタカバー。
【請求項３】
請求項２において、
前記ケーブルの長手方向に関し、前記遮水リブは前記係合部よりもカバー本体の中央部側に設けられていることを特徴とするコネクタカバー。
【発明の詳細な説明】
【技術分野】
【０００１】
本発明は、コネクタカバーに関するものである。
【背景技術】
【０００２】
従来、コネクタカバーとして、例えば特許文献１の図１〜図３に見られるようなコネクタカバーが知られている。同文献の符号を借りて説明すると、このコネクタカバーは、接続されるべきケーブル（１１）（４１）の端部にそれぞれ設けられ、結合されたコネクタ（１５）（４５）を覆うカバーであって、コネクタ（１５）（４５）（この場合さらに中継コネクタ２０も）を収納する筒状のカバー本体（３０）と、このカバー本体（３０）の両端に一体に形成され、ケーブル（１１）（４１）が配置される、カバー本体（３０）より小径のケーブルカバー部（３１）とを備えている。
【０００３】
このコネクタカバーによれば、カバー本体（３０）内にコネクタ（１５、４５、２０）を収納し、カバー本体（３０）両端のケーブルカバー部（３１）にケーブル（１１）（４１）を配置し（ケーブルを引き出し）、一方のケーブルカバー部（３１）の多少外側から他方のケーブルカバー部（３１）の多少外側に亘ってケーブル（１１）（４１）およびコネクタカバーを粘着テープ２５で巻回して覆うことによって、コネクタの防水性を高めることができる。
【０００４】
また、コネクタの結合を解除する際には、ケーブル（１１）（４１）とケーブルカバー部（３１）との間において、ケーブルを傷つけないようにテープを剥がしさえすれば、コネクタカバーに巻き回されているテープについては、テープとコネクタとの間にコネクタカバーが介在していることから、コネクタを傷つけてしまうといった気遣いをすることなくテープを作業性良く剥がすことが可能である。
【０００５】
しかし、このコネクタカバーは、ケーブルの軸線方向に二分割されている構造であり、切込み（３４）を開きながらコネクタ（１５，４５）をコネクタカバー内に収納する必要があるため、その収納作業が面倒である。
【０００６】
同文献の図８には、コネクタカバーをケーブルの軸線方向に二分割せず、ケーブル軸線方向に、カバー内外を連通するスリット（７３）を設けた構造も開示されている。
しかし、このものも、スリット（７３）を開きながらコネクタ（１５，４５）をコネクタカバー内に収納する必要があるため、その収納作業が面倒である。
【先行技術文献】
【特許文献】
【０００７】
【特許文献１】特開２００６−０３１９８８号公報
【発明の概要】
【発明が解決しようとする課題】
【０００８】
本発明が解決しようとする課題は、コネクタの収納作業が容易なコネクタカバーを提供することである。
【課題を解決するための手段】
【０００９】
上記課題を解決するために本発明のコネクタカバーは、
接続されるべきケーブルの端部にそれぞれ設けられ、結合されたコネクタを覆うカバーであって、
前記コネクタを収納する筒状のカバー本体と、
このカバー本体の両端に一体に形成され、前記ケーブルが配置される、前記カバー本体より小径のケーブルカバー部とを備え、
前記カバー本体およびケーブルカバー部は、前記ケーブルの長手方向においてヒンジ部を介して二つ割りに構成され、
二つ割りとなったカバー本体半体には、前記ヒンジ部の反対側において係脱可能な係合部が設けられていることを特徴とする。
【００１０】
このコネクタカバーによれば、これを開いた状態にして、結合されたコネクタおよびケーブルを一方のカバー本体半体およびケーブルカバー部に配置し、他方のカバー本体半体およびケーブルカバー部をヒンジ部回りに前記一方のカバー本体半体およびケーブルカバー部に向けて回動させ、係合部を係合させるだけで、コネクタをコネクタカバーに容易に収納することができる。
収納した後は、一方のケーブルカバー部の多少外側から他方のケーブルカバー部の多少外側に亘ってケーブルおよびコネクタカバーをテープ（自己融着テープ、粘着テープ等）で巻回して覆うことによって、コネクタの防水性を高めることができる。
また、コネクタの結合を解除する際には、ケーブルとケーブルカバー部との間において、ケーブルを傷つけないようにテープを剥がしさえすれば、コネクタカバーに巻き回されているテープについては、テープとコネクタとの間にコネクタカバーが介在していることから、コネクタを傷つけてしまうといった気遣いをすることなくテープを作業性良く剥がすことが可能である。
【００１１】
このコネクタカバーにおいては、
前記ケーブルの長手方向に関し、前記カバー本体の中央部と前記ケーブルカバー部との間には、それぞれ、カバー本体内周面から周方向に沿って内側に向かって突起する遮水リブが設けられている構成とすることができる。
このように構成すると、万が一、何らかの理由によって、ケーブルカバー部およびケーブルとこれらを覆うテープとの間から水がコネクタカバー内に侵入したとしても、その水のコネクタ結合部へ向かう流れが、遮水リブによって抑制される。
したがって、防水性を高めることができる。
【００１２】
このコネクタカバーにおいては、
前記ケーブルの長手方向に関し、前記遮水リブは前記係合部よりもカバー本体の中央部側に設けられている構成とすることができる。
このように構成すると、万が一、何らかの理由によって、前記係合部ないしその近辺から水がコネクタカバー内に侵入したとしても、その水のコネクタ結合部へ向かう流れが、遮水リブによって抑制される。
したがって、防水性をさらに高めることができる。
【図面の簡単な説明】
【００１３】
【図１】本発明に係るコネクタカバーの実施の形態を示す図で、（ａ）は図（ｂ）におけるａ−ａ断面図、（ｂ）は該コネクタカバーを開いた状態の正面図、（ｃ）は図（ｂ）の底面図、（ｄ）は図（ｂ）の右側面図、（ｅ）は図（ｂ）におけるｅ−ｅ断面図、（ｆ）は斜視図。
【図２】（ａ）は作業状態説明斜視図、（ｂ）は作業状態説明正面図。
【発明を実施するための形態】
【００１４】
以下、本発明に係るコネクタカバーの実施の形態について図面を参照して説明する。なお、各図において、同一部分ないし相当する部分には、同一の符号を付してある。
【００１５】
図１，図２に示すように、この実施の形態のコネクタカバー１０は、接続されるべきケーブル２１ｃ、２２ｃ（図２）の端部にそれぞれ設けられ、結合されたコネクタ２１，２２を覆うカバーである。
【００１６】
このコネクタカバー１０は、コネクタ２１，２２を収納する筒状のカバー本体１１と、このカバー本体１１の両端に一体に形成され、ケーブル２１、２２が配置される、カバー本体１１より小径のケーブルカバー部１２とを備えている。
【００１７】
カバー本体１１およびケーブルカバー部１２は、ケーブルの長手方向（図１（ｂ）の左右方向）においてヒンジ部１３を介して二つ割りに構成されている。
二つ割りとなったカバー本体半体１１ｈには、ヒンジ部１３の反対側において係脱可能な係合部１４が設けられている。
【００１８】
このコネクタカバー１０によれば、図１および図２（ａ）に示すように、これを開いた状態にして、結合されたコネクタ２１，２２およびケーブル２１ｃ、２２ｃを一方のカバー本体半体およびケーブルカバー部１２に配置し、図２（ｂ）に示すように他方のカバー本体半体１１ｈおよびケーブルカバー部１２をヒンジ部１３回りに一方のカバー本体半体１１ｈおよびケーブルカバー部１２に向けて回動させ、係合部１４を係合させるだけで、コネクタ２１，２２をコネクタカバー１０に容易に収納することができる。
【００１９】
収納した後は、一方のケーブルカバー部１２の多少外側から他方のケーブルカバー部１２の多少外側（図２（ｂ）における範囲Ｌ１参照）に亘ってケーブルおよびコネクタカバー１０を図示しないテープ（自己融着テープ、粘着テープ等）で巻回して覆うことによって、コネクタ２１，２２の防水性を高めることができる。
【００２０】
また、コネクタ２１，２２の結合を解除する際には、ケーブル２１ｃ、２２ｃとケーブルカバー部１２との間において、ケーブルを傷つけないようにテープを剥がしさえすれば、コネクタカバー１０に巻き回されているテープについては、テープとコネクタ２１，２２との間にコネクタカバー１０が介在していることから、コネクタ２１，２２を傷つけてしまうといった気遣いをすることなくテープを作業性良く剥がすことが可能である。
【００２１】
ケーブルの長手方向に関し、カバー本体１１の中央部１１ｃとケーブルカバー部１２との間には、それぞれ、カバー本体内周面から周方向に沿って内側に向かって突起する遮水リブ１１ｒが設けられている。
このように構成すると、万が一、何らかの理由によって、ケーブルカバー部１２およびケーブル２１ｃ（２２ｃ）とこれらを覆うテープとの間から水がコネクタカバー１０内に侵入したとしても、その水のコネクタ結合部２０ｃ（図２）へ向かう流れが、遮水リブ１１ｒによって抑制される。
したがって、防水性を高めることができる。
【００２２】
図１（ｆ）に示すように、ケーブルの長手方向に関し、遮水リブ１１ｒは係合部１４よりもカバー本体１１の中央部１１ｃ側に設けられている。
このように構成すると、万が一、何らかの理由によって、係合部１４ないしその近辺から水がコネクタカバー１０内に侵入したとしても、その水のコネクタ結合部２０ｃへ向かう流れが、遮水リブ１１ｒによって抑制される。
したがって、防水性をさらに高めることができる。
【００２３】
コネクタカバー１０は、適度な剛性および可撓性を有する公知の合成樹脂で一体成形で作成することができる。
係合部１４は、一方のカバー本体半体１１ｈに設けた係合爪１４ｆと、この爪１４ｆと係脱可能なように他方のカバー本体半体１１ｈに設けた係合穴１４ｈで構成することができる。
１１ｔ、１１ｔはカバー本体１１を開く際に利用される摘まみである。
【００２４】
以上、本発明の実施の形態について説明したが、本発明は上記の実施の形態に限定されるものではなく、本発明の要旨の範囲内において適宜変形実施可能である。
【符号の説明】
【００２５】
１０：    コネクタカバー
１１：    カバー本体
１１ｈ：    カバー本体半体
１１ｒ：    遮水リブ
１２：    ケーブルカバー部
１３：    ヒンジ部
１４：    係合部
２１，２２：    コネクタ
２１ｃ、２２ｃ：    ケーブルの端部
【図１】
2016110922.tif 000003
【図２】
2016110922.tif 000004